(57)【要約】【課題】  園芸バリカンの刈り込み能力を向上する。【解決手段】  園芸バリカンは、本体と、本体に設けられているとともに少なくとも一方が揺動可能に支持されている一対のブレードと、本体に内蔵されているとともに一対のブレードを相対的に往復角運動させる動力機構を備えている。それぞれのブレードには櫛状に並ぶ複数の刃先が形成されている。一方のブレードに形成された複数の刃先と他方のブレードに形成された複数の刃先は、一対のブレードの相対的な往復角運動に伴って交差と離反を繰り返す複数の刃先対が構成している。そして、少なくとも一つの刃先対を構成する刃先の基端からブレードの揺動中心軸までの距離が、その刃先の先端からブレードの揺動中心軸までの距離の０．５倍以下であることを特徴とする。【選択図】図４
2008237087.tif 000002
【特許請求の範囲】
【請求項１】
本体と、
本体に設けられているとともに少なくとも一方が揺動可能に支持されている一対のブレードと、
本体に内蔵されているとともに一対のブレードを相対的に往復角運動させる動力機構を備え、
それぞれのブレードには、櫛状に並ぶ複数の刃先が形成されており、
一方のブレードに形成された複数の刃先と他方のブレードに形成された複数の刃先は、一対のブレードの相対的な往復角運動に伴って交差と離反を繰り返す複数の刃先対を構成しており、
少なくとも一つの刃先対を構成する刃先の基端からブレードの揺動中心軸までの距離が、その刃先の先端からブレードの揺動中心軸までの距離の０．５倍以下であることを特徴とする園芸バリカン。
【請求項２】
少なくとも一つの刃先対の切断開始点からブレードの揺動中心軸までの距離が、その刃先対を構成する刃先の先端からブレードの揺動中心軸までの距離の０．５倍以下であることを特徴とする請求項１に記載の園芸バリカン。
【請求項３】
前記複数の刃先は、それぞれのブレードに左右対称に形成されており、
少なくとも一つの刃先対の切断開始点からブレードの揺動中心軸までの前後方向の距離が、その刃先対を構成する刃先の先端からブレードの揺動中心軸までの前後方向の距離の０．５倍以下であることを特徴とする請求項１又は２に記載の園芸バリカン。
【請求項４】
すべての刃先対において、その切断開始点からブレードの揺動中心軸までの前後方向の距離が、その刃先対を構成する刃先の先端からブレードの揺動中心軸までの前後方向の距離の０．５倍以下であることを特徴とする請求項３に記載の園芸バリカン。
【請求項５】
左右方向中央側に位置する刃先対ほど、その切断開始点からブレードの揺動中心軸までの前後方向の距離が、その刃先対を構成する刃先の先端からブレードの揺動中心軸までの前後方向の距離に対して短いことを特徴とする請求項１から４のいずれかに記載の園芸バリカン。
【請求項６】
本体と、
本体に設けられているとともに少なくとも一方が揺動可能に支持されている一対のブレードと、
本体に内蔵されているとともに一対のブレードを相対的に往復角運動させる動力機構を備え、
それぞれのブレードには、櫛状に並ぶ複数の刃先が形成されており、
一方のブレードに形成された複数の刃先と他方のブレードに形成された複数の刃先は、一対のブレードの相対的な往復角運動に伴って交差と離反を繰り返す複数の刃先対を構成しており、
少なくとも一つの刃先対の切断開始点からブレードの揺動中心軸までの距離が、その刃先対を構成する刃先の先端からブレードの揺動中心軸までの距離の０．５倍以下であることを特徴とする園芸バリカン。
【請求項７】
本体と、
本体に設けられているとともに少なくとも一方が揺動可能に支持されている一対のブレードと、
本体に内蔵されているとともに一対のブレードを相対的に往復角運動させる動力機構を備え、
それぞれのブレードには、櫛状に並ぶ複数の刃先が左右対称に形成されており、
一方のブレードに形成された複数の刃先と他方のブレードに形成された複数の刃先は、一対のブレードの相対的な往復角運動に伴って交差と離反を繰り返す複数の刃先対を構成しており、
少なくとも一つの刃先対の切断開始点からブレードの揺動中心軸までの前後方向の距離が、その刃先対を構成する刃先の先端からブレードの揺動中心軸までの前後方向の距離の０．５倍以下であることを特徴とする園芸バリカン。
【請求項８】
本体と、
本体に設けられているとともに少なくとも一方が揺動可能に支持されている一対のブレードと、
本体に内蔵されているとともに一対のブレードを相対的に往復角運動させる動力機構を備え、
それぞれのブレードには、櫛状に並ぶ複数の刃先が左右対称に形成されており、
一方のブレードに形成された複数の刃先と他方のブレードに形成された複数の刃先は、一対のブレードの相対的な往復角運動に伴って交差と離反を繰り返す複数の刃先対を構成しており、
左右方向中央側に位置する刃先対ほど、その切断開始点からブレードの揺動中心軸までの前後方向の距離が、その刃先対を構成する刃先の先端からブレードの揺動中心軸までの前後方向の距離に対して短いことを特徴とする園芸バリカン。
【請求項９】
園芸バリカンに用いるブレードアセンブリであって、
互いに揺動可能に支持されている一対のブレードを備え、
それぞれのブレードには、櫛状に並ぶ複数の刃先が形成されており、
一方のブレードに形成された複数の刃先と他方のブレードに形成された複数の刃先は、一対のブレードの相対的な往復角運動に伴って交差と離反を繰り返す複数の刃先対を構成しており、
少なくとも一つの刃先対を構成する刃先の基端からブレードの揺動中心軸までの距離が、その刃先の先端からブレードの揺動中心軸までの距離の０．５倍以下であることを特徴とするブレードアセンブリ。
【請求項１０】
園芸バリカンに用いるブレードアセンブリであって、
互いに揺動可能に支持されている一対のブレードを備え、
それぞれのブレードには、櫛状に並ぶ複数の刃先が形成されており、
一方のブレードに形成された複数の刃先と他方のブレードに形成された複数の刃先は、一対のブレードの相対的な往復角運動に伴って交差と離反を繰り返す複数の刃先対を構成しており、
少なくとも一つの刃先対の切断開始点からブレードの揺動中心軸までの距離が、その刃先対を構成する刃先の先端からブレードの揺動中心軸までの距離の０．５倍以下であることを特徴とするブレードアセンブリ。
【請求項１１】
園芸バリカンに用いるブレードアセンブリであって、
互いに揺動可能に支持されている一対のブレードを備え、
それぞれのブレードには、櫛状に並ぶ複数の刃先が形成されており、
一方のブレードに形成された複数の刃先と他方のブレードに形成された複数の刃先は、一対のブレードの相対的な往復角運動に伴って交差と離反を繰り返す複数の刃先対を構成しており、
左右方向中央側に位置する刃先対ほど、その切断開始点からブレードの揺動中心軸までの前後方向の距離が、その刃先対を構成する刃先の先端からブレードの揺動中心軸までの前後方向の距離に対して短いことを特徴とするブレードアセンブリ。
【発明の詳細な説明】
【技術分野】
【０００１】
本発明は、芝生や生垣等の刈り込み作業に用いられる園芸バリカンに関する。
【背景技術】
【０００２】
特許文献１、２に、園芸バリカンが記載されている。園芸バリカンは、本体と、本体に設けられている一対のブレードを備えている。少なくとも一方のブレードは、本体に対して揺動可能に支持されている。本体には少なくとも一方のブレードを往復角運動させる動力源が内蔵されており、その動力源によって一対のブレードが相対的に往復角運動するようになっている。
それぞれのブレードには、櫛状に並ぶ複数の刃先が左右対称に形成されている。一方のブレードに形成された複数の刃先と、他方のブレードに形成された複数の刃先は、複数の刃先対を構成している。それぞれの刃先対は、一対のブレードの相対的な往復角運動に伴って交差と離反を繰り返し、芝生や生垣等を繰り返し切断する。
【０００３】
【特許文献１】特開２００４−１４７５６２号公報
【特許文献２】特開平７−１９４２２４号公報
【発明の開示】
【発明が解決しようとする課題】
【０００４】
園芸バリカンは、ブレードに形成した刃先の寸法や位置に応じて、その刈り込み能力（単位時間の刈り込み量）が大きく変化する。そのことから、ブレードに形成する刃先の寸法や位置は、園芸バリカンにおいて重要な設計項目の一つに挙げられている。しかしながら、ブレードに形成する刃先の寸法や位置に関しては、現在まで有用な設計指針が提案されておらず、それを決定するために試行錯誤が繰り返されている。
本発明は、上記の問題を解決する。本発明は、ブレードに形成する刃先に関する有用な設計指針を提供し、園芸バリカンの刈り込み能力を有意に向上させる。
【課題を解決するための手段】
【０００５】
本発明によって具現化される園芸バリカンは、本体と、本体に設けられているとともに少なくとも一方が揺動可能に支持されている一対のブレードと、本体に内蔵されているとともに一対のブレードを相対的に往復角運動させる動力機構を備えている。それぞれのブレードには、櫛状に並ぶ複数の刃先が左右対称に形成されている。一方のブレードに形成された複数の刃先と他方のブレードに形成された複数の刃先は、一対のブレードの相対的な往復角運動に伴って交差と離反を繰り返す複数の刃先対を構成している。そして、少なくとも一つの刃先対を構成する刃先の基端からブレードの揺動中心軸までの距離が、その刃先の先端からブレードの揺動中心軸までの距離の０．５倍以下であることを特徴とする。
【０００６】
園芸バリカンでは、ブレードに形成する刃先を長くするほど、一対のブレードが一度の往復角運動で切断する草木の量を多くすることができる。しかしながら、一対のブレードが一度に切断する草木の量が多くなると、一対のブレードにかかる切断負荷も大きくなり、一対のブレードが単位時間に往復角運動する回数が低下してしまう。そのことから、ブレードに形成する刃先を長くしても、園芸バリカンの刈り込み能力を向上させることができないことがある。
【０００７】
本発明者らの研究によると、ブレードに形成する刃先の基端からブレードの揺動中心軸までの距離を、その刃先の先端からブレードの揺動中心軸までの距離に対して短くすると、切断する草木の量に対して一対のブレードが受ける負荷を比較的に小さく抑えることができる。そして、刃先の基端からブレードの揺動中心軸までの距離を、刃先の先端からブレードの揺動中心軸までの距離の０．５倍以下とすることによって、園芸バリカンの刈り込み能力を有意に向上させることができる。
【０００８】
上記した園芸バリカンでは、少なくとも一つの刃先対の切断開始点からブレードの揺動中心軸までの距離が、その刃先対を構成する刃先の基端からブレードの揺動中心軸までの距離の０．５倍以下であることが好ましい。
ここでいう刃先対の切断開始点とは、刃先対が草木の切断を開始する点であり、刃先対を構成する刃先同士の交差点が、刃先の基端側から先端側に向けて移動を開始する位置である。
刃先対の切断開始点からブレードの揺動中心軸までの距離を、その刃先対を構成する刃先の基端からブレードの揺動中心軸までの距離の０．５倍以下とすることによって、園芸バリカンの刈り込み能力を確実に向上させることができる。
【０００９】
上記した園芸バリカンでは、前記複数の刃先が、それぞれのブレードに左右対称に形成されていることが好ましい。この場合、少なくとも一つの刃先対の切断開始点からブレードの揺動中心軸までの前後方向の距離が、その刃先対を構成する刃先の先端からブレードの揺動中心軸までの前後方向の距離の０．５倍以下であることが好ましい。
ここでいう左右対称とは、鏡面対称を意味するとともに、その対称面に垂直な方向を左右方向と便宜上定めることを意図している。また、前後方向とは、その左右方向に垂直な方向を意味しており、鏡面対称（左右対称）の対称面に平行な方向となる。
【００１０】
本発明者らの研究によると、刃先対の切断開始点からブレードの揺動中心軸までの前後方向の距離が、その刃先対を構成する刃先の先端からブレードの揺動中心軸までの前後方向の距離に対して短いほど、切断する草木の量に対して一対のブレードが受ける負荷を比較的に小さく抑えることができる。そして、刃先対の切断開始点からブレードの揺動中心軸までの前後方向の距離を、その刃先対を構成する刃先の先端からブレードの揺動中心軸までの前後方向の距離の０．５倍以下とすることによって、園芸バリカンの刈り込み能力を有意に向上させることができる。
【００１１】
上記した園芸バリカンでは、すべての刃先対において、その切断開始点からブレードの揺動中心軸までの前後方向の距離が、その刃先対を構成する刃先の先端からブレードの揺動中心軸までの前後方向の距離の０．５倍以下であることが好ましい。
それにより、それぞれの刃先対が受ける負荷を、それぞれの刃先対が切断する草木の量に対して比較的に小さく抑えることができる。
【００１２】
上記した園芸バリカンでは、左右方向中央側に位置する刃先対ほど、その切断開始点からブレードの揺動中心軸までの前後方向の距離が、その刃先対を構成する刃先の先端からブレードの揺動中心軸までの前後方向の距離に対して短いことが好ましい。
左右方向の中央側に位置する刃先対は、園芸バリカンの刈り込み能力に大きな影響を与える。そのことから、左右方向中央側に位置する刃先対の切断開始点からブレードの揺動中心軸までの前後方向の距離を、その刃先対を構成する刃先の先端からブレードの揺動中心軸までの前後方向の距離に対してより短くすることによって、園芸バリカンの刈り込み能力を効果的に向上させることができる。
【００１３】
本発明の技術は、園芸バリカンに用いるブレードアセンブリにも具現化される。このブレードアセンブリは、互いに揺動可能に支持されている一対のブレードを備えている。それぞれのブレードには、櫛状に並ぶ複数の刃先が形成されている。一方のブレードに形成された複数の刃先と他方のブレードに形成された複数の刃先は、一対のブレードの相対的な往復角運動に伴って交差と離反を繰り返す複数の刃先対を構成している。そして、少なくとも一つの刃先対を構成する刃先の基端からブレードの揺動中心軸までの距離が、その刃先の先端からブレードの揺動中心軸までの距離の０．５倍以下であることを特徴とする。
このブレードアセンブリを用いることによって、園芸バリカンの刈り込み能力を有意に向上させることができる。
【発明の効果】
【００１４】
本発明により、ブレードに形成する刃先の位置や寸法を定量的に決定することが可能となり、高い刈り込み能力を実現可能なブレードを容易に設計することが可能となる。
【発明を実施するための最良の形態】
【００１５】
最初に、以下に説明する実施例の主要な特徴を列記する。
（形態１）  一対のブレードは、本体に対して揺動可能に支持されている。
（形態２）  本体に内蔵されている動力機構は、一対のブレードを互いに１８０度の位相差を持って往復角運動させる。
（形態３）  ブレードには、櫛状に並ぶ刃形成部が形成されている。それぞれの刃形成部の側部は鋭利に加工されており、櫛状に並ぶ刃先が形成されている。
（形態４）  園芸バリカンは、本体と、本体に対して着脱可能に固定されているブレードアセンブリを備えている。
【実施例】
【００１６】
（実施例１）
本発明を実施した芝生バリカンについて図面を参照しながら説明する。芝生バリカンは、園芸バリカンの一種であり、主に芝生の刈り込み作業に用いられる。
図１は、芝生バリカン１０の側方断面図を示している。図２は、芝生バリカン１０の底面図を示している。図２では、一部の構成が図示省略されており、芝生バリカン１０の内部構造が示されている。
図１、図２に示すように、芝生バリカン１０は、本体１２と、本体１２に固定されているブレードアセンブリ３０を備えている。本体１２は、主に、ハウジング１４と、ハウジング１４に設けられているトリガスイッチ１６と、ハウジング１４に内蔵されているモータ１８と、モータ１８の回転運動を減速して出力する歯車群２０と、歯車群２０によって回転させられる第１偏心カム２２及び第２偏心カム２４を備えている。第１偏心カム２２と第２偏心カム２４は、その回転軸２３を回転中心に、互いに１８０度の位相差を持って偏心回転する。第１偏心カム２２の径は、第２偏心カム２４の径よりも大きい。
【００１７】
図１、図２、図３を参照して、ブレードアセンブリ３０の構成について説明する。図３は、ブレードアセンブリ３０のみを単体で示している。ここで、図３に示すように、ブレードアセンブリ３０に対して左右方向と前後方向を定める。なお、ブレードアセンブリ３０は鏡面対称の構造を有しており、その対称軸と平行な方向を前後方向と定め、その対称軸と垂直な方向を左右方向と定めている。
ブレードアセンブリ３０は、取付プレート３２と上ブレード４０と下ブレード７０を備えている。取付プレート３２と上ブレード４０と下ブレード７０は、支点ピン３４によって互いに連結されている。取付プレート３２と上ブレード４０と下ブレード７０は、支点ピン３４の中心軸Ｒを揺動中心軸として、互いに独立して揺動可能となっている。上ブレード４０の後方端と下ブレード７０の後方端の間にはスペーサ部材３６が介挿されており、上ブレード４０と下ブレード７０の相対角度が所定値に調整されている。
ブレードアセンブリ３０は、複数のネジ２８によって本体１２に固定されており、ユーザによって着脱可能となっている。ブレードアセンブリ３０は、摩耗等の進行によって劣化する消耗品である。ユーザは、ブレードアセンブリ３０が劣化した段階で、新品のブレードアセンブリ３０と交換することができる。
【００１８】
上ブレード４０の支点ピン３４よりも後方部分には、長孔形状の嵌合孔４２が形成されており、その嵌合孔４２には本体１２の第１偏心カム２２が遊嵌している。それにより、第１偏心カム２２の偏心回転に伴って、上ブレード４０は揺動中心軸Ｒを中心に往復角運動するようになっている。同様に、下ブレード７０の支点ピン３４よりも後方部分には、長孔形状の嵌合孔７２が形成されており、その嵌合孔７２には本体１２の第２偏心カム２４が嵌合している。それにより、第２偏心カム２４の偏心回転に伴って、下ブレード７０は揺動中心軸Ｒを中心に往復角運動するようになっている。ここで、第１偏心カム２２と第２偏心カム２４は互いに１８０度の位相差を持って偏心回転することから、上ブレード４０と下ブレード７０は互いに１８０度の位相差を持って往復運動する。また、第１偏心カム２２は第２偏心カム２４よりも径が大きいことから、上ブレード４０は下ブレード７０よりも大きな振幅で往復運動する。
【００１９】
図３、図４を参照して、上ブレード４０の構成について説明する。図４は、上ブレード４０のみを単体で示している。図３、図４に示すように、上ブレード４０の支点ピン３４よりも前方部分には、櫛状に突出する６本の上刃形成部５１、５２、５３が形成されている。６本の上刃形成部５１、５２、５３は左右対称に形成されており、図面では対称関係にあるものに同一の符号を付している。それぞれの上刃形成部５１、５２、５３の側部は鋭利に加工されており、櫛状に並ぶ１２本の上刃先６１、６２、６３、６４、６５、６６が形成されている。１２本の上刃先６１、６２、６３、６４、６５、６６は左右対称に形成されており、図面では対称関係にあるものに同一の符号を付している。以下では、左右方向の最も中央側に位置する２本の上刃先６１を第１上刃先と称し、その左右両側に位置する２本の上刃先６２を第２上刃先と称し、その左右両側に位置する２本の上刃先６３を第３上刃先と称し、その左右両側に位置する２本の上刃先６４を第４上刃先と称し、その左右両側に位置する２本の上刃先６５を第５上刃先と称し、その左右両側に位置する２本の上刃先６６を第６上刃先と称する。
【００２０】
図４に示すように、それぞれの上刃先６１−６６は、後方に位置する基端６１ａ−６６ａから、前方に位置する先端６１ｂ−６６ｂまで、直線状に伸びている。表１に、それぞれの上刃先６１−６６について、基端６１ａ−６６ａから上ブレード４０の揺動中心軸Ｒまでの距離Ａ、先端６１ｂ−６６ｂから上ブレード４０の揺動中心軸Ｒまでの距離Ｂ、距離Ａを距離Ｂで除算した第１指標値Ａ／Ｂ、基端６１ａ−６６ａから上ブレード４０の揺動中心軸Ｒまでの前後方向の距離Ｃ、先端６１ｂ−６６ｂから上ブレード４０の揺動中心軸Ｒまでの前後方向の距離Ｄ、距離Ｃを距離Ｄで除算した第２指標値Ｃ／Ｄを示す。なお、距離Ａ、Ｂ、Ｃ、Ｄの数値の単位はミリメートルである。
【００２１】
【表１】
2008237087.tif 000003
【００２２】
一般に、上刃先６１−６６が長いほど、一度に多くの芝生を刈り込むことができる。従って、基端６１ａ−６６ａから上ブレード４０の揺動中心軸Ｒまでの距離Ａが小さく、先端６１ｂ−６６ｂから上ブレード４０の揺動中心軸Ｒまでの距離Ｂが大きい上刃先ほど、一度に多量の芝生を刈り込むことができる。同様に、基端６１ａ−６６ａから上ブレード４０の揺動中心軸Ｒまでの前後方向の距離Ｃが小さく、先端６１ｂ−６６ｂから上ブレード４０の揺動中心軸Ｒまでの前後方向の距離Ｄが大きい上刃先ほど、一度に多量の芝生を刈り込むことができる。
さらに、基端６１ａ−６６ａから上ブレード４０の揺動中心軸Ｒまでの距離Ａが短いほど、上刃先６１−６６が揺動中心軸Ｒの近くに位置することになるので、芝生の切断時にモータ１８にかかる負荷は小さくなる。同様に、基端６１ａ−６６ａから上ブレード４０の揺動中心軸Ｒまでの前後方向の距離Ｃが短いほど、上刃先６１−６６が揺動中心軸Ｒの近くに位置することになるので、芝生の切断時にモータ１８にかかる負荷は小さくなる。モータ１８にかかる負荷が小さければ、モータ１８は比較的に速い速度で回転することができる。その結果、上下のブレード４０、７０の往復角運動の振動数は大きくなり、単位時間あたりの切断回数は多くなる。
【００２３】
以上のことから、表１に示した距離Ａや距離Ｃが小さく、距離Ｂや距離Ｄが大きいほど、芝生バリカン１０の刈り込み能力は大きくなる。従って、上刃先６１−６６の第１指標値Ａ／Ｂや第２指標値Ｃ／Ｄが小さいほど、芝生バリカン１０の刈り込み能力は大きい。
また、芝生バリカン１０の全体の刈り込み能力は、左右方向の中央側に位置する第１上刃先６１や第２上刃先６２の能力によって大きく変化する。そのことから、左右方向の中央側に位置する第１上刃先６１や第２上刃先６２の第１指標値Ａ／Ｂや第２指標値Ｃ／Ｄが小さいほど、芝生バリカン１０の全体の刈り込み能力は顕著に向上する。
【００２４】
表１に示すように、本実施例のブレードアセンブリ３０では、左右方向の中央側に位置する上刃先ほどその第１指標値Ａ／Ｂが小さくなっている。そして、第１上刃先６１と第２上刃先６２の第１指標値Ａ／Ｂは、０．５以下という非常に小さな値となっている。それにより、本実施例のブレードアセンブリ３０は、非常に高い刈り込み能力を実現することができる。
また、表１に示すように、本実施例のブレードアセンブリ３０では、すべての上刃先６１−６６の第２指標値Ｃ／Ｄが、０．５以下という非常に小さな値となっている。それにより、本実施例のブレードアセンブリ３０は、非常に高い刈り込み能力を実現することができる。
【００２５】
次に、図３、図５を参照して、下ブレード７０の構成について説明する。図５は、下ブレード７０のみを単体で示している。図３、図５に示すように、下ブレード７０の支点ピン３４よりも前方部分には、櫛状に突出する７本の下刃形成部８１、８２、８３、８４が形成されている。７本の下刃形成部８１、８２、８３、８４は左右対称に形成されており、図面では対称関係にあるものに同一の符号を付している。それぞれの下刃形成部８１、８２、８３、８４の側部は鋭利に加工されており、櫛状に並ぶ１２本の下刃先９１、９２、９３、９４、９５、９６が形成されている。１２本の下刃先９１、９２、９３、９４、９５、９６は左右対称に形成されており、図面では対称関係にあるものに同一の符号を付している。以下では、左右方向の最も中央側に位置する２本の下刃先９１を第１下刃先と称し、その左右両側に位置する２本の下刃先９２を第２下刃先と称し、その左右両側に位置する２本の下刃先９３を第３下刃先と称し、その左右両側に位置する２本の下刃先９４を第４下刃先と称し、その左右両側に位置する２本の下刃先９５を第５下刃先と称し、その左右両側に位置する２本の下刃先９６を第６下刃先と称する。
【００２６】
図５に示すように、それぞれの下刃先９１−９６は、後方に位置する基端９１ａ−９６ａから、前方に位置する先端９１ｂ−９６ｂまで、直線状に伸びている。表２に、それぞれの下刃先９１−９６について、基端９１ａ−９６ａから下ブレード７０の揺動中心軸Ｒまでの距離Ａ、先端９１ｂ−９６ｂから下ブレード７０の揺動中心軸Ｒまでの距離Ｂ、距離Ａを距離Ｂで除算した第１指標値Ａ／Ｂ、基端９１ａ−９６ａから下ブレード７０の揺動中心軸Ｒまでの前後方向の距離Ｃ、先端９１ｂ−９６ｂから下ブレード７０の揺動中心軸Ｒまでの前後方向の距離Ｄ、距離Ｃを距離Ｄで除算した第２指標値Ｃ／Ｄを示す。なお、距離Ａ、Ｂ、Ｃ、Ｄの数値の単位はミリメートルである。
【００２７】
【表２】
2008237087.tif 000004
【００２８】
下刃先９１−９６についても、先に説明した上刃先６１−６６と同様に、その第１指標値Ａ／Ｂや第２指標値Ｃ／Ｄが小さいほど、芝生バリカン１０の刈り込み能力は大きくなる。
表２に示すように、本実施例のブレードアセンブリ３０では、左右方向の中央側に位置する下刃先ほどその第１指標値Ａ／Ｂが小さくなっている。そして、第１下刃先９１と第２下刃先９２の第１指標値Ａ／Ｂが、０．５以下という非常に小さな値となっている。それにより、本実施例のブレードアセンブリ３０は、非常に高い刈り込み能力を実現することができる。
また、表２に示すように、本実施例のブレードアセンブリ３０では、第１下刃先９１−第５下刃先９５の第２指標値Ｃ／Ｄが、０．５以下という非常に小さな値となっている。それにより、本実施例のブレードアセンブリ３０は、非常に高い刈り込み能力を実現することができる。
【００２９】
図３に示すように、上ブレード４０に形成された１２本の上刃先６１−６６と、下ブレード７０に形成された１２本の下刃先９１−９６は、互いに向かい合う１２の刃先対を構成している。具体的には、第１上刃先６１と第２下刃先９１によって、第１刃先対６１、９１が構成されている。第２上刃先６２と第２下刃先９２によって、第２刃先対６２、９２が構成されている。以下同様に、第３刃先対６３、９３と第４刃先対６４、９４と第５刃先対６５、９５と第６刃先対６６、９６が構成されている。
【００３０】
それぞれの刃先対は、上ブレード４０と下ブレード７０の相対的な往復角運動に伴って、交差と離反を繰り返す。図３に示すように、上ブレード４０と下ブレード７０の両者が往復角運動の原点位置にある状態では、それぞれの刃先対を構成する上刃先６１−６６と下刃先９１−９６が、その基端６１ａ−６６ａ、９１ａ−９６ａの近傍で互いに接触して交差している。このときの交差点１０１−１０６は、刃先対が芝の切断を開始する切断開始点となる。切断開始点１０１−１０６は、刃先対を構成する上刃先と下刃先との交差点が、最も基端側に移動した位置である。ここで留意すべきは、それぞれの刃先対の切断開始点１０１−１０６は、その刃先対を構成する上刃先６１−６６の基端６１ａ−６６ａや下刃先９１−９６の基端９１ａ−９６ａと、必ずしも一致しないことである。本実施例においては、上刃先６１−６６の基端６１ａ−６６ａ及び下刃先９１−９６の基端９１ａ−９６ａが、それぞれの刃先対の切断開始点１０１−１０６よりも先端側に位置している。また、表１と表２に示すように、刃先対を構成する上刃先６１−６６と下刃先９１−９６は、先端６１ａ−６６ａ、９１ｂ−９６ｂから揺動中心軸Ｒまでの距離Ｂが略等しい。
【００３１】
表３に、それぞれの刃先対について、その切断開始点１０１−１０６から揺動中心軸Ｒまでの距離Ｅ、その距離Ｅをその刃先対を構成する上下の刃先６１−６６、９１−９６の距離Ｂ（表１、表２参照）の平均値ＢＡＶＥで除算した第３指標値Ｅ／ＢＡＶＥ、その切断開始点１０１−１０６から揺動中心軸Ｒまでの前後方向の距離Ｆ、その距離Ｆをその刃先対を構成する上下の刃先６１−６６、９１−９６の距離Ｄ（表１、表２参照）の平均値DＡＶＥで除算した第４指標値Ｅ／DＡＶＥを示す。
【００３２】
【表３】
2008237087.tif 000005
【００３３】
上刃先６１−６６と下刃９１−９６による刃先対では、切断開始点１０１−１０６が揺動中心軸Ｒに近いほど、芝生の切断時にモータ１８にかかる負荷は小さくなる。そのことから、モータ１８への供給電力が同じであれば、切断開始点１０１−１０６が揺動中心軸Ｒに近いほど、上下のブレード４０、７０の往復角運動の振動数は大きくなり、刈り込み能力は高くなる。そして、先に説明したように、刃先対を構成する上刃先６１−６６と下刃９１−９６の距離Ｂや距離Ｄが大きいほど、一度に芝生を切断する量が多くなることから、刈り込み能力は大きくなる。従って、刃先対の第３指標値Ｅ／ＢＡＶＥや第４指標値Ｆ／ＤＡＶＥが小さいほど、刈り込み能力は顕著に大きくなる。
また、芝生バリカン１０の全体の刈り込み能力は、左右方向の中央側に位置する刃先対ほど、芝生バリカン１０の全体の刈り込み能力に与える影響は大きい。そのことから、左右方向の中央側に位置する刃先対の第３指標値Ｅ／ＢＡＶＥや第４指標値Ｆ／ＤＡＶＥが小さいほど、芝生バリカン１０の全体の刈り込み能力は大きく向上する。
【００３４】
表３に示すように、本実施例のブレードアセンブリ３０では、左右方向の中央側に位置する刃先対ほどその第３指標値Ｅ／ＢＡＶＥが小さくなっている。そして、第１刃先対６１、９１と第２刃先対６２、９２の第３指標値Ｅ／ＢＡＶＥは、０．５以下という非常に小さな値となっている。それにより、本実施例のブレードアセンブリ３０は、非常に高い刈り込み能力を実現することができる。
また、表３に示すように、本実施例のブレードアセンブリ３０では、左右方向の中央側に位置する刃先対ほどその第４指標値Ｆ／ＤＡＶＥが小さくなっている。そして、第１刃先対６１、９１から第５刃先対６５、９５までの第４指標値Ｆ／ＤＡＶＥは、０．５以下という非常に小さな値となっている。それにより、本実施例のブレードアセンブリ３０は、非常に高い刈り込み能力を実現することができる。
【００３５】
（実施例２）
本発明を実施したブレードアセンブリについて図面を参照しながら説明する。本実施例のブレードアセンブリは、実施例１で説明した芝生バリカン１０に使用可能なブレードアセンブリである。
図６は、本実施例のブレードアセンブリ１３０を示している。ブレードアセンブリ１３０は、取付プレート１３２と上ブレード１４０と下ブレード１７０を備えている。取付プレート１３２と上ブレード１４０と下ブレード１７０は、支点ピン１３４によって互いに連結されている。取付プレート１３２と上ブレード１４０と下ブレード１７０は、支点ピン１３４の中心軸Ｒを揺動中心軸として、互いに独立して揺動可能となっている。上ブレード１４０の後方端と下ブレード１７０の後方端の間には、上ブレード１４０と下ブレード１７０の相対角度を所定値に維持するためのスペーサ部材１３６が介挿されている。
【００３６】
図６に示すように、上ブレード１４０の支点ピン１３４よりも後方部分には、長孔形状の嵌合孔１４２が形成されており、その嵌合孔１４２には本体１２の第１偏心カム２２が遊嵌する。同様に、下ブレード１７０の支点ピン１３４よりも後方部分には、長孔形状の嵌合孔１７２が形成されており、その嵌合孔１７２には本体１２の第２偏心カム２４が嵌合する。実施例１で説明したブレードアセンブリ３０と同様に、上ブレード１４０と下ブレード１７０は互いに１８０度の位相差を持って往復運動するようになっている。
【００３７】
図６、図７を参照して、上ブレード１４０の構成について説明する。図７は、上ブレード１４０のみを単体で示している。図６、図７に示すように、上ブレード１４０の支点ピン１３４よりも前方部分には、櫛状に突出する４本の上刃形成部１５１、１５２が形成されている。４本の上刃形成部１５１、１５２は左右対称に形成されており、図面では対称関係にあるものに同一の符号を付している。それぞれの上刃形成部１５１、１５２の側部は鋭利に加工されており、櫛状に並ぶ８本の上刃先１６１、１６２、１６３、１６４が形成されている。８本の上刃先１６１−１６４は左右対称に形成されており、図面では対称関係にあるものに同一の符号を付している。以下では、左右方向の最も中央側に位置する２本の上刃先１６１を第１上刃先と称し、その左右両側に位置する２本の上刃先１６２を第２上刃先と称し、その左右両側に位置する２本の上刃先１６３を第３上刃先と称し、その左右両側に位置する２本の上刃刃先１６４を第４上刃先と称する。
【００３８】
図７に示すように、それぞれの上刃先１６１−１６４は、後方に位置する基端１６１ａ−１６４ａから、前方に位置する先端１６１ｂ−１６４ｂまで、直線状に伸びている。表４に、それぞれの上刃先１６１−１６４について、基端１６１ａ−１６４ａから上ブレード１４０の揺動中心軸Ｒまでの距離Ａ、先端１６１ｂ−１６４ｂから上ブレード１４０の揺動中心軸Ｒまでの距離Ｂ、距離Ａを距離Ｂで除算した第１指標値Ａ／Ｂ、基端１６１ａ−１６４ａから上ブレード１４０の揺動中心軸Ｒまでの前後方向の距離Ｃ、先端１６１ｂ−１６４ｂから上ブレード１４０の揺動中心軸Ｒまでの前後方向の距離Ｄ、距離Ｃを距離Ｄで除算した第２指標値Ｃ／Ｄを示す。なお、距離Ａ、Ｂ、Ｃ、Ｄの数値の単位はミリメートルである。
【００３９】
【表４】
2008237087.tif 000006
【００４０】
表４に示すように、本実施例のブレードアセンブリ１３０では、左右方向の中央側に位置する上刃先ほどその第１指標値Ａ／Ｂが小さくなっている。そして、第１上刃先１６１の第１指標値Ａ／Ｂが、０．５以下という非常に小さな値となっている。それにより、本実施例のブレードアセンブリ１３０は、非常に高い刈り込み能力を実現することができる。
また、表４に示すように、本実施例のブレードアセンブリ１３０では、すべての上刃先１６１−１６４の第２指標値Ｃ／Ｄが、０．５以下という非常に小さな値となっている。それにより、本実施例のブレードアセンブリ１３０は、非常に高い刈り込み能力を実現することができる。
【００４１】
次に、図６、図８を参照して、下ブレード１７０の構成について説明する。図８は、下ブレード１７０のみを単体で示している。図６、図８に示すように、下ブレード１７０の支点ピン１３４よりも前方部分には、櫛状に突出する５本の下刃形成部１８１、１８２、１８３が形成されている。５本の下刃形成部１８１−１８３は左右対称に形成されており、図面では対称関係にあるものに同一の符号を付している。それぞれの下刃形成部１８１−１８３の側部は鋭利に加工されており、櫛状に並ぶ８本の下刃先１９１、１９２、１９３、１９４が形成されている。８本の下刃先１９１−１９４は左右対称に形成されており、図面では対称関係にあるものに同一の符号を付している。以下では、左右方向の最も中央側に位置する２本の下刃先１９１を第１下刃先と称し、その左右両側に位置する２本の下刃先１９２を第２下刃先と称し、その左右両側に位置する２本の下刃先１９３を第３下刃先と称し、その左右両側に位置する２本の下刃先１９４を第４下刃先と称する。
【００４２】
図８に示すように、それぞれの下刃先１９１−１９４は、後方に位置する基端１９１ａ−１９４ａから、前方に位置する先端１９１ｂ−１９４ｂまで、直線状に伸びている。表５に、それぞれの下刃先１９１−１９４について、基端１９１ａ−１９４ａから下ブレード１７０の揺動中心軸Ｒまでの距離Ａ、先端１９１ｂ−１９４ｂから下ブレード１７０の揺動中心軸Ｒまでの距離Ｂ、距離Ａを距離Ｂで除算した第１指標値Ａ／Ｂ、基端１９１ａ−１９４ａから下ブレード１７０の揺動中心軸Ｒまでの前後方向の距離Ｃ、先端１９１ｂ−１９４ｂから下ブレード１７０の揺動中心軸Ｒまでの前後方向の距離Ｄ、距離Ｃを距離Ｄで除算した第２指標値Ｃ／Ｄを示す。なお、距離Ａ、Ｂ、Ｃ、Ｄの数値の単位はミリメートルである。
【００４３】
【表５】
2008237087.tif 000007
【００４４】
表５に示すように、本実施例のブレードアセンブリ１３０では、左右方向の中央側に位置する下刃先ほどその第１指標値Ａ／Ｂが小さくなっている。そして、第１下刃先１９１の第１指標値Ａ／Ｂが、０．５以下という非常に小さな値となっている。それにより、本実施例のブレードアセンブリ１３０は、非常に高い刈り込み能力を実現することができる。
また、表５に示すように、本実施例のブレードアセンブリ１３０では、第１下刃先１９１と第２下刃先１９２と第３下刃先１９３の第２指標値Ｃ／Ｄが、０．５以下という非常に小さな値となっている。それにより、本実施例のブレードアセンブリ１３０は、非常に高い刈り込み能力を実現することができる。
【００４５】
図６に示すように、上ブレード１４０に形成された８本の上刃先１６１−１６４と、下ブレード１７０に形成された８本の下刃先１９１−１９４は、互いに向かい合う８つの刃先対を構成している。具体的には、第１上刃先１６１と第２下刃先１９１によって、第１刃先対１６１、１９１が構成されている。以下同様に、第２刃先対１６２、１９２、第３刃先対１６３、１９３、第４刃先対１６４、１９４が構成されている。上ブレード１４０と下ブレード１７０の両者が往復角運動の原点位置にある状態では、それぞれの刃先対を構成する上刃先１６１−６４と下刃先１９１−１９４が、その基端１６１ａ−１６４ａ、１９１ａ−１９４ａの近傍で互いに接触して交差している。このときの交差点２０１−２０４は、刃先対が芝の切断を開始する切断開始点となる。
【００４６】
表６に、それぞれの刃先対について、その切断開始点２０１−２０４から揺動中心軸Ｒまでの距離Ｅ、その距離Ｅをその刃先対を構成する上下の刃先１６１−１６４、１９１−１９４の距離Ｂ（表４、表５参照）の平均値ＢＡＶＥで除算した第３指標値Ｅ／ＢＡＶＥ、その切断開始点１０１−１０６から揺動中心軸Ｒまでの前後方向の距離Ｆ、その距離Ｆをその刃先対を構成する上下の刃先１６１−１６４、１９１−１９４の距離Ｄ（表４、表５参照）の平均値ＤＡＶＥで除算した第４指標値Ｅ／ＤＡＶＥを示す。
【００４７】
【表６】
2008237087.tif 000008
【００４８】
表６に示すように、本実施例のブレードアセンブリ１３０では、左右方向の中央側に位置する刃先対ほどその第３指標値Ｅ／ＢＡＶＥが小さくなっている。そして、第１刃先対１６１、１９１の第３指標値Ｅ／ＢＡＶＥが、０．５以下という非常に小さな値となっている。それにより、本実施例のブレードアセンブリ１３０は、非常に高い刈り込み能力を実現することができる。
また、表６に示すように、本実施例のブレードアセンブリ１３０では、左右方向の中央側に位置する刃先対ほどその第４指標値Ｆ／ＤＡＶＥが小さくなっている。そして、第１刃先対１６１、１９１と第２刃先対１６２、１９２の第４指標値Ｆ／ＤＡＶＥが、０．５以下という非常に小さな値となっている。それにより、本実施例のブレードアセンブリ１３０は、非常に高い刈り込み能力を実現することができる。
【００４９】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組合せによって技術的有用性を発揮するものであり、出願時の請求項に記載の組合せに限定されるものではない。本明細書または図面に例示した技術は複数の目的を同時に達成するものであり、そのうちの一つの目的を達成すること自体で技術的有用性を持つものである。
【図面の簡単な説明】
【００５０】
【図１】芝生バリカンの側方断面図。
【図２】芝生バリカンの底面図。
【図３】実施例１のブレードアセンブリを示す図。
【図４】実施例１の上ブレードを示す図。
【図５】実施例１の下ブレードを示す図。
【図６】実施例２のブレードアセンブリを示す図。
【図７】実施例２の上ブレードを示す図。
【図８】実施例２の下ブレードを示す図。
【符号の説明】
【００５１】
１０・・芝生バリカン
１２・・本体
１４・・ハウジング
１６・・トリガスイッチ
１８・・モータ
２０・・歯車群
２２、２４・・偏心カム
３０、１３０・・ブレードアセンブリ
４０、１４０・・上ブレード
５１−５３、１５１−１５２・・上刃形成部
６１−６６、１６１−１６４・・上刃先
７０、１７０・・下ブレード
８１−８４、１８１−１８３・・下刃形成部
９１−６６、１９１−１９４・・下刃先
１０１−１０６、２０１−２０４・・切断開始点
Ｒ：揺動中心軸
【図１】
2008237087.tif 000009
【図２】
2008237087.tif 000010
【図３】
2008237087.tif 000011
【図４】
2008237087.tif 000012
【図５】
2008237087.tif 000013
【図６】
2008237087.tif 000014
【図７】
2008237087.tif 000015
【図８】
2008237087.tif 000016